(57)【要約】【課題】  動画に付加したタグを利用して放送等と同様のチャンネルを自動的に生成し、利用者に対してこのチャンネル単位で視聴選択する手段を提供する。【解決手段】  受信手段は、クライアント側からビデオコンテンツと、当該コンテンツに関連して１つまたは複数のタグからなるタグ情報との組を複数受信する。記憶制御手段は、前記ビデオコンテンツと、当該コンテンツに関連して１つまたは複数のタグからなるタグ情報との組を記憶手段に複数記憶させる。再生制御手段は、前記クライアント側がコンテンツを再生するために、前記記憶手段が記憶する前記コンテンツの内、当該コンテンツのタグ情報中に同一のタグが含まれる前記コンテンツを連続して前記クライアント側へ送出する。サーバ装置は、これらを備えたことを特徴とする。【選択図】      図１
2010041500.tif 000002
【特許請求の範囲】
【請求項１】
クライアント側からビデオコンテンツと、当該コンテンツに関連して１つまたは複数のタグからなるタグ情報との組を複数受信する受信手段と、
前記ビデオコンテンツと、当該コンテンツに関連して１つまたは複数のタグからなるタグ情報との組を記憶手段に複数記憶させる記憶制御手段と、
前記クライアント側がコンテンツを再生するために、前記記憶手段が記憶する前記コンテンツの内、当該コンテンツのタグ情報中に同一のタグが含まれる前記コンテンツを連続して前記クライアント側へ送出する再生制御手段とを備えたことを特徴とするサーバ装置。
【請求項２】
更に、前記連続して再生する前記コンテンツに関連するタグ情報中の前記同一のタグを、前記クライアント側から受信するタグ受信手段とを備え、
前記再生制御手段は、前記タグ受信手段により受信された前記同一のタグがタグ情報中に含まれる前記コンテンツを連続して前記クライアント側へ送出することを特徴とする請求項１記載のサーバ装置。
【請求項３】
サーバ側へビデオコンテンツと、当該コンテンツに関連して１つまたは複数のタグからなるタグ情報との組を複数送信する送信手段と、
前記クライアント側がコンテンツを再生するために、前記サーバ側で前記記憶手段が記憶する前記コンテンツの内、当該コンテンツのタグ情報中に同一のタグが含まれる前記コンテンツを連続して送出されたコンテンツを受信する受信手段と、
前記受信手段により受信した連続したコンテンツを連続して再生する再生手段と、
前記再生手段により再生したコンテンツを表示する表示手段とを備えたことを特徴とするクライアント装置。
【請求項４】
クライアント側からビデオコンテンツと、当該コンテンツに関連して１つまたは複数のタグからなるタグ情報との組を複数受信するステップと、
前記ビデオコンテンツと、当該コンテンツに関連して１つまたは複数のタグからなるタグ情報との組を記憶手段に複数記憶させるステップと、
前記クライアント側がコンテンツを再生するために、前記記憶手段が記憶する前記コンテンツの内、当該コンテンツのタグ情報中に同一のタグが含まれる前記コンテンツを連続して前記クライアント側へ送出するステップとを備えたことを特徴とするコンテンツ送出方法。
【請求項５】
ビデオコンテンツと、当該コンテンツに関連して１つまたは複数のタグからなるタグ情報との組を複数記憶手段に複数記憶させる記憶制御手段と、
前記記憶手段が記憶する前記コンテンツの内、当該コンテンツのタグ情報中に同一のタグが含まれる前記コンテンツを連続して再生する再生制御手段とを備えたことを特徴とするコンテンツ再生装置。
【請求項６】
ビデオコンテンツと、当該コンテンツに関連して１つまたは複数のタグからなるタグ情報との組を複数記憶手段に複数記憶させるステップと、
前記記憶手段が記憶する前記コンテンツの内、当該コンテンツのタグ情報中に同一のタグが含まれる前記コンテンツを連続して再生するステップとを備えたことを特徴とするコンテンツ再生方法。
【発明の詳細な説明】
【技術分野】
【０００１】
この発明は、動画を中心としたコンテンツの配信／再生システムに関し、特にパーソナルコンピュータ（ＰＣ）とＴＶなど異なる操作ユーザインタフェースを有する複数の種類の受信端末での利用が想定されるシステムに用いられるサーバ装置、クライアント装置、コンテンツ送出方法、コンテンツ再生装置、コンテンツ再生方法に関する。
【背景技術】
【０００２】
最近、ブロードバンド環境の普及に伴い、オンライン上のストレージに個人で撮影した動画や写真のファイルを投稿もしくは保管し、利用者の要求に応じて選択された動画や写真を閲覧する動画や写真の配信サービスが提供されている（例えば、非特許文献１参照）。これらのサービスはこれまで主にパーソナルコンピュータ（ＰＣ）での利用を想定してきた。
【０００３】
また、インターネット上を中心に爆発的に増加する情報の整理、検索としてタギングと呼ばれる手法があり、ソーシャルブックマークサービスなどで提供されている（例えば、非特許文献２参照）。タギングでは対象となるコンテンツに対し、利用者が自由にジャンル等のグループであるタグを付与、設定する。１つのコンテンツに対して複数のタグを付与してもよい。ディレクトリやフォルダなどの従来のカテゴリ分類と比べ、柔軟性のある分類が可能であり、関連するコンテンツの検索も容易であり、インターネット上の動画や投稿記事の分類や検索などで適用されている。
【０００４】
これまでのタギングによる分類、検索も専らＰＣでの利用を前提としてきた。すなわち、これらはマウスやキーボードを利用して操作、入力するユーザインタフェースを前提にシステム設計されている。
【０００５】
また、放送や記録されているコンテンツから仮想的にチャンネルを作成する、所謂バーチャルチャンネルを作成する技術が知られている（例えば、特許文献１、特許文献２参照）。
【特許文献１】特開２００２−０４４５５５号公報
【特許文献２】特開２００４−５３３７４５号公報
【非特許文献１】YouTube、［平成２０年８月６日検索］、インターネット＜URL：http://jp.youtube.com/＞
【非特許文献２】delicious social bookmarking、［平成２０年８月６日検索］、インターネット＜URL：http://delicious.com/＞
【発明の開示】
【発明が解決しようとする課題】
【０００６】
このように従来の動画配信システムにおいては、対象となるコンテンツが多くなるとＴＶ等のリモコンを利用した、いわゆる１０フィートインタフェースでは、選択指示やテキスト表示サイズの制約から、必要とする動画コンテンツの分類や検索、さらには視聴までに手間や時間がかかるという問題があった。
【０００７】
この発明は、動画に付加したタグを利用して放送等と同様のチャンネルを自動的に生成し、利用者に対してこのチャンネル単位で視聴選択する手段を提供することを目的とする。
【課題を解決するための手段】
【０００８】
上記の目的を達成するために、この発明においては、クライアント側からビデオコンテンツと、当該コンテンツに関連して１つまたは複数のタグからなるタグ情報との組を複数受信する受信手段と、前記ビデオコンテンツと、当該コンテンツに関連して１つまたは複数のタグからなるタグ情報との組を記憶手段に複数記憶させる記憶制御手段と、前記クライアント側がコンテンツを再生するために、前記記憶手段が記憶する前記コンテンツの内、当該コンテンツのタグ情報中に同一のタグが含まれる前記コンテンツを連続して前記クライアント側へ送出する再生制御手段とを備えたことを特徴とするサーバ装置を提供する。
【０００９】
また、上記の目的を達成するために、この発明においては、サーバ側へビデオコンテンツと、当該コンテンツに関連して１つまたは複数のタグからなるタグ情報との組を複数送信する送信手段と、前記クライアント側がコンテンツを再生するために、前記サーバ側で前記記憶手段が記憶する前記コンテンツの内、当該コンテンツのタグ情報中に同一のタグが含まれる前記コンテンツを連続して送出されたコンテンツを受信する受信手段と、前記受信手段により受信した連続したコンテンツを連続して再生する再生手段と、前記再生手段により再生したコンテンツを表示する表示手段とを備えたことを特徴とするクライアント装置を提供する。
【００１０】
また、上記の目的を達成するために、この発明においては、クライアント側からビデオコンテンツと、当該コンテンツに関連して１つまたは複数のタグからなるタグ情報との組を複数受信するステップと、前記ビデオコンテンツと、当該コンテンツに関連して１つまたは複数のタグからなるタグ情報との組を記憶手段に複数記憶させるステップと、前記クライアント側がコンテンツを再生するために、前記記憶手段が記憶する前記コンテンツの内、当該コンテンツのタグ情報中に同一のタグが含まれる前記コンテンツを連続して前記クライアント側へ送出するステップとを備えたことを特徴とするコンテンツ送出方法を提供する。
【００１１】
また、上記の目的を達成するために、この発明においては、ビデオコンテンツと、当該コンテンツに関連して１つまたは複数のタグからなるタグ情報との組を複数記憶手段に複数記憶させる記憶制御手段と、前記記憶手段が記憶する前記コンテンツの内、当該コンテンツのタグ情報中に同一のタグが含まれる前記コンテンツを連続して再生する再生制御手段とを備えたことを特徴とするコンテンツ再生装置を提供する。
【００１２】
また、上記の目的を達成するために、この発明においては、ビデオコンテンツと、当該コンテンツに関連して１つまたは複数のタグからなるタグ情報との組を複数記憶手段に複数記憶させるステップと、前記記憶手段が記憶する前記コンテンツの内、当該コンテンツのタグ情報中に同一のタグが含まれる前記コンテンツを連続して再生するステップとを備えたことを特徴とするコンテンツ再生方法を提供する。
【００１３】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【００１４】
この発明によれば、動画に付加したタグを利用して放送等と同様のチャンネルを自動的に生成し、利用者に対してこのチャンネル単位で視聴選択する手段を提供することができる。
【発明を実施するための最良の形態】
【００１５】
以下、図面を参照しながら本発明の実施形態について説明する。
（第１の実施例）
図１はオンライン上のストレージを利用するコンテンツ配信システムを含む全体構成の一例を示している。コンテンツ配信システム１２０はインターネット等のオンライン上でかつ宅外に配置された、一般には複数のサーバ群から構成される。第一の利用者はパーソナルコンピュータ（ＰＣ）１０１を利用して、加入者認証サーバ１０２で認証後、たとえばＰＣ内のＨＤＤに保管されている動画や静止画のファイルをオンライン上のコンテンツ配信システム上のファイルストレージサーバ１０３へアップロードして保管する。保管された動画ファイル等は必要に応じてトランスコーダ１０４で符号化変換や解像度変換、符号化レート変換などの処理を施す。そして、保管されている動画ファイルは、チャンネル生成処理部１０５でチャンネル単位に編成される。第一の利用者はチャンネル配信サーバＰＣ１０７経由でＰＣ１０１以外にもデジタル放送対応ＴＶ（ＤＴＶ）１０８やＰＤＡや携帯電話等のモバイル機器１０９で、チャンネル選択インタフェース（画面）１０６を介してチャンネルを選択し受信することが可能になる。
【００１６】
また、ファイルストレージサーバ１０３は一般に、第１の加入者以外に公開、非公開の２つの領域が存在する。公開に関してはさらに限定された利用者のみに公開する場合や無制限に公開する場合などのアクセス制御設定が可能な場合もある。保管された動画ファイル等は第１の利用者が公開設定することで、第２の利用者に対しても同様に、アクセス認証サーバ１１０で認証後、第２の利用者のＰＣ１１１、ＤＴＶ１１２やモバイル機器１１３で受信が可能になる。
【００１７】
さて、上記のうち本発明のコンテンツ配信システムについて以下で詳しく説明する。図２はこの一例を示している。コンテンツ配信システムは点線の上部の領域に記載されており、下部はコンテンツ配信システム外で、対応する端末側の領域であり、ＨＴＭＬ(HyperText Markup Language)ブラウザ２１２は端末側の搭載を示すものとする。なお、後述するタグリスト、コンテンツ管理リストはたとえばファイルストレージサーバ上の不揮発メモリ、コンテンツファイルはファイルストレージサーバ上のＨＤＤに記録されている。また、チャンネルリストはチャンネル配信サーバ上の不揮発メモリ、チャンネル生成や画面生成、配信制御などの処理はたとえばチャンネル配信サーバ上のＣＰＵを通じて制御、実行される。
【００１８】
このシステムは大きくは３つの処理フェーズから構成される。この３つの処理フェーズは、（１）コンテンツおよびコンテンツ関連情報取得フェーズ、（２）チャンネル生成フェーズ、（３）チャンネル配信フェーズである。動画コンテンツ等を新規にアップロードする場合には通常、都度、（１）から（３）の順に随時、処理が進行する。
【００１９】
まず最初に、（１）のコンテンツおよびコンテンツ関連情報取得フェーズについて説明する。
コンテンツ／関連情報取得処理２０４ではコンテンツ／関連情報取得Ｉ／Ｆ２０５を介して、第１の利用者の利用端末からオンラインを経由してコンテンツファイルおよびその関連情報を取得する。
図３にコンテンツ／関連情報取得処理部２０４のフローを示す。ただし、図３も図２同様、コンテンツ配信システムは点線の上部の領域に記載されており、下部はコンテンツ配信システム外で、対応する端末側の領域であり、ＨＴＭＬブラウザ２１２は端末側の搭載を示すものとする。
【００２０】
タグリスト２０１には例えば図４に示すように、配信システム側で予め定義されたタグやユーザが定義したタグが登録されている。ユーザ設定タグ領域にはユーザが付与するタグが記載され、システム設定タグ領域には後述するように、配信システムが付与するタグが記載されている。ＨＴＭＬ作成部３０１ではこのタグリスト２０１も参照しながら入力フォーム画面３０２を作成し、オンラインを経由して提供する。この入力フォーム画面例を図５に示す。第１の利用者は動画等のコンテンツファイルをオンライン上のストレージへアップロードする際に、ＨＴＭＬブラウザ３０３上で、アップロードするコンテンツをたとえばＰＣ上のＨＤＤから選択し、そのコンテンツにタイトルやコメントを入力させ、さらに設定したいタグをクリックして選択する。また、“新規”タグをクリックした場合には特に図示しないが、利用者が自由に入力するフォーム画面を別途、表示して、利用者によるタグの定義も可能にする。そして、最終的にアップロードのボタンをクリックすることでアップロード処理を完結させる。
【００２１】
なお、このとき、たとえばアップロードする動画コンテンツがＡＶＣＨＤ形式であれば同じフォルダ内に格納されている撮影日時などの管理情報ファイル（特開２００８−４７９８５号公報参照）も一緒にアップロードする。
【００２２】
また、ここではコンテンツをアップロードする端末をＰＣとして説明したが、入力画面の表示と入力、アップロード機能があれば携帯電話やＤＴＶ、ＨＤＤレコーダなどの機器でもよい。
【００２３】
返信された入力フォーム画面３０４はＨＴＭＬ解析部３０５を経て、取得したコンテンツファイルは所定のコンテンツストレージ２０３へ格納される。また、その保管場所やタイトル、付加されたタグ情報などの属性情報はコンテンツごとに、コンテンツ管理リスト２０２に格納される。図６にコンテンツ管理リストの一例を示す。付加タグ情報領域である<ContentTagInfo>フィールド中の“最新”タグは利用者が付与したタグではなく、配信システム側が自動的に付与する。たとえばコンテンツのアップロード日時と現在日時を比較し、所定の期間を越えない場合はコンテンツ管理リスト２０２中の<latest flag>フィールドで示される最新フラグを“１”（該当）と設定し、その他の場合は“０”（非該当）とする。そして、この最新フラグが“１”（該当）である間は配信システムが“最新”タグを記載しておき、“０”（非該当）になると“最新”タグを削除する。また、“２００８年“タグも同様にコンテンツ管理リスト２０２中の撮影日時（<date>フィールド）を基に配信システム側がやはり自動的に付与したタグである。ただし、このタグは一度記載したら対象コンテンツファイル２０３がストレージ上から削除されるなどコンテンツ管理リスト２０２中のコンテンツエントリ自体が削除されない限り削除されない。これらのタグは利用者の視聴方法改善や検索効率向上に利用される。ちなみに撮影日時の情報は動画ファイルであれば上記の管理情報ファイル、Ｅｘｉｆ（Exchangeable Image File Format）形式の静止画ファイルであれば画像ファイルから取得が可能である。
【００２４】
なお、第１の利用者がタグを新規定義した場合には、タグリスト２０１に新規定義されたタグを追加し、更新する。
以上、これらの一連の処理を通じて、利用者が設定した、タグを含むコンテンツの関連情報をコンテンツ配信システムが取得することが可能になる。
次に、（２）のチャンネル生成フェーズについて説明する。
図２のチャンネル生成処理部２０６ではタグリスト２０１およびコンテンツ管理リスト２０２からチャンネルを生成する。この処理の一例を図７に示す。ＳＴ１でタグリスト２０１を参照し、最初のタグをまず検索対象に設定する。ＳＴ２でコンテンツ管理リスト２０２の最初のエントリコンテンツに設定し、ＳＴ３で付加タグ情報領域である<ContentTagInfo>フィールド中を検索し、一致するタグがあれば、そのコンテンツをチャンネルリスト（後述）へ登録する（ＳＴ４およびＳＴ５）。そして、コンテンツ管理リスト２０２内の全コンテンツの検索を終了するまで繰り返す（ＳＴ６およびＳＴ７）。全コンテンツの検索が終了したらタグリスト２０１の最終タグでない限り、タグリスト中の次のタグを検索対象に設定（ＳＴ８およびＳＴ９）し、ＳＴ２に戻って検索、登録を繰り返す。そして、最終タグの検索を終了する（ＳＴ８）とチャンネル生成処理を終了する。
【００２５】
ここで、図８に生成されたチャンネルリスト２０７の一例を示す。各チャンネルについて、チャンネル名（タグ名を流用）やチャンネルを構成するコンテンツ数、さらにはチャンネルを構成するコンテンツの配信順とその格納場所が記載されている。
【００２６】
このようにして作成されるチャンネル編成の例を図９に示す。図中のＰ、Ｑ、Ｒ、Ｓはコンテンツを表し、これに付随する“最新”、“野球”、“運動会”、“次郎”は各コンテンツに付加されたタグを示す。これらのタグは“最新”タグを加えてタグ名をそのまま引き継いだチャンネル名をもつチャンネルを構成している。なお、各コンテンツ内の丸１（○で囲んだ数字を明細書中では丸１等と記す）、丸２等はチャンネル毎のコンテンツの配信順を表しており、たとえばコンテンツ管理リスト中の撮影日時（図６中の<date>フィールド）の古い者から順に配信される。また、たとえば、コンテンツＰは“野球”タグを第１の利用者が設定し、“最新”タグを配信システムが設定しているため、最新チャンネルと野球チャンネルで配信される。また、コンテンツＲは、第１の利用者が設定した“運動会”、“次郎”、配信システムが設定した“最新”という計３個のタグが付与されているため、最新チャンネル、運動会チャンネル、次郎チャンネルの３チャンネルに配置、構成されている。
【００２７】
そしてチャンネルリスト２０７やコンテンツ管理リスト２０２を参照してチャンネル選択Ｉ／Ｆ２０８による画面が作成され、オンラインを経由して第１の利用者や第２の利用者に提示される。
【００２８】
このチャンネル選択Ｉ／Ｆ２０８による画面である、チャンネル選択画面の例を図１０に示す。画面の左側にはチャンネルリスト（以下、ＣＨリストとも記す）、右側にはフォーカスされているチャンネル(この場合は最新チャンネル)内のコンテンツの内容がサムネイルとともに配信順に閲覧できる。ＣＨリストの各チャンネル表示部分は選択ボタンになっており、ＴＶ等のリモコンの十字カーソルを使って見たいチャンネルへ移動、選択できる。なお、ＴＶのリモコンを用いた操作はたとえば、特開平１０−９８６５４号公報等に記載される方式を使って実現することができる。
【００２９】
その上で十字カーソルの決定ボタンを押すことで、そのチャンネルが全画面表示され、そのチャンネルに配置されたコンテンツが逐次配信／再生される。たとえば最新チャンネルを連続視聴する場合、“最新”にフォーカスして“決定”ボタンを押せばよい。
【００３０】
なお、図１０中のサムネイルを選択、決定することで当該コンテンツを先頭にして連続再生するようにしてもよい。
また、画面中のチャンネルリスト（ＣＨリスト）の表示順に関しては、最新チャンネルを最上位に配置し、その他のチャンネルに関してはチャンネルリスト中の各チャンネル情報のチャンネル構成コンテンツ数（<num>フィールド）の値を比較して大きいものから順に表示していくこととする。ただし、その他の方法として最新チャンネルに含まれるコンテンツに付加される“最新”以外のタグを、コンテンツ登録ＩＤ（entry＿id）をキーにしてコンテンツ管理リストで検索して、そのタグに対応するチャンネルを優先して、最新チャンネルに次ぐ上位に配置することも可能である。
【００３１】
ところで、検索効率向上の観点からは、チャンネルはタグ属性を持つコンテンツの集合であるとみなして、チャンネル論理演算処理２０９において複数のチャンネル間で論理演算を実行してその結果を新たなチャンネルとして選択利用することも可能である。図１０にその処理の一例を示す。たとえば、チャンネルＡとチャンネルＢのＡＮＤ演算の場合、ＳＴ２１でチャンネルリスト２０７を参照し、チャンネルＡ内の最初のコンテンツをまず検索対象に設定する。ＳＴ２２でやはりチャンネルリスト２０７を参照しチャンネルＢの最初のコンテンツを設定し、ＳＴ２３でチャンネルＢ内のチャンネル情報を検索し、<ChannelContentInfo>の中でコンテンツ登録ＩＤが一致するコンテンツを抽出して登録する（ＳＴ２４およびＳＴ２５）。チャンネルＢ内の全コンテンツ検索を終了していない限り、次のコンテンツを検索対象に設定（ＳＴ２６およびＳＴ２７）し、ＳＴ２３に戻って検索、登録を繰り返す。チャンネルＢ内のチャンネル情報すべてを検索終了したら（ＳＴ２６）、チャンネルＡ内の全コンテンツ検索を終了していない限り、次のコンテンツを検索対象に設定（ＳＴ２８およびＳＴ２９）し、ＳＴ２２に戻って検索、登録を繰り返す。そして、チャンネルＡ内のコンテンツの全コンテンツの検索を終了するとチャンネル論理演算によるチャンネル生成処理を終了する。
【００３２】
図９の例で言えば、ＣＨリスト中で“太郎”、“ＡＮＤ”、“野球”、“＝”と選択していき、最後に決定ボタンを押すことで論理演算が実行され、“太郎”と“野球”の双方のタグがついたチャンネルが生成され、この連続再生が可能になる。
【００３３】
最後に、（３）のチャンネル配信フェーズについて説明する。
図２のチャンネル選択Ｉ／Ｆ２０８を通じて選択、配信指示されたチャンネルはチャンネル配信制御部２１０で配信制御処理を実行する。この例を図１２に示す。ＳＴ３１で配信順の並べ替え、たとえば撮影日時の新しいコンテンツから順などの指示があれば、指定チャンネル内の並べ替えを実行する。そして、ＳＴ３３ではチャンネルリスト２０７を参照し、最初のコンテンツをまず配信対象に設定する。ＳＴ３４で対象ファイルをオープンし、ＳＴ３５でコンテンツデータを配信サーバ上のバッファに読み出す。そして、ＳＴ３６でコンテンツ配信部２１１に対してＨＴＴＰ（HyperText Transfer Protocol）ストリーミング配信を指示する。ＳＴ３７で対象ファイルのＥＯＦ（End Of File）を検出しない限り、ＳＴ３５に戻ってバッファ読み出し、配信を繰り返す。そして、ＥＯＦを検出するとＳＴ３８でチャンネル内の最終コンテンツにならない限り、次のコンテンツを配信対象に設定（ＳＴ３９）し、ＳＴ３４に戻って、これをチャンネル内の最終コンテンツになるまで処理を繰り返す。また、再生中スキップ指示があった場合は、ＳＴ３１０でＨＴＴＰストリーミング配信停止を指示し、コンテンツバッファをクリア（ＳＴ３１１）してＳＴ３８の処理ステップへ移行する。
【００３４】
なお、この例では、ＨＴＴＰストリーミング配信を例に説明したが、ＲＴＰ（Real time Transport Protocol）など他の配信方法を用いてもよい。また、リモコンを用いたＴＶを例に説明したが、チャンネル配信を受信する端末は同じくリモコン操作を利用するＨＤＤレコーダやＳＴＢ(Set Top Box)はむろんのこと、ＰＣや携帯電話などリモコンを必ずしも利用しない機器であってもよい。
【００３５】
なお、本実施例では、送受での画面作成や表示をＨＴＭＬ（Hyper Text Markup Language）プロトコルで説明したが、ＢＭＬ（Broadcast Markup Language）など他のプロトコルを用いてもよい。
【００３６】
さらに、本実施例ではコンテンツ配信システムが宅外にある想定で説明したが、たとえばホームサーバ等のように宅内に設置され、ホームネットワークを通じて実現しても本質的には変わらない。
【００３７】
（第２の実施例）
ここではチャンネル生成／再生処理を、記録装置を有する利用端末のみで実現する場合について以下で説明する。
図１３は、上記したデジタルテレビジョン放送受信装置１３１の主要な信号処理系を示している。
すなわち、ＢＳ／ＣＳデジタル放送受信用のアンテナ１３４３で受信した衛星デジタルテレビジョン放送信号は、入力端子１３４４を介して衛星デジタル放送用のチューナ１３４５ａに供給される。
【００３８】
チューナ１３４５ａは、制御部１３６１からの制御信号により所望のチャンネルの放送信号を選局し、この選局された放送信号をＰＳＫ（Phase Shift Keying）復調器１３４５ｂに出力する。
【００３９】
ＰＳＫ復調器１３４５ｂは、制御部１３６１からの制御信号により、チューナ１３４５ａで選局された放送信号を復調し、所望の番組を含んだトランスポートストリームを得て、ＴＳ復号器１３４５ｃに出力する。
【００４０】
ＴＳ復号器１３４５ｃは、制御部１３６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部１３４７内のＳＴＤバッファ１３４７ｆへ出力する。
【００４１】
また、ＴＳ復号器１３４５ｃは、デジタル放送により送られているセクション情報を信号処理部１３４７内のセクション処理部１３４７ｈへ出力する。
また、地上波放送受信用のアンテナ１３４８で受信した地上デジタルテレビジョン放送信号は、入力端子１３４９を介して地上デジタル放送用のチューナ１３５０ａに供給される。
【００４２】
チューナ１３５０ａは、制御部１３６１からの制御信号により所望のチャンネルの放送信号を選局し、この選局された放送信号をＯＦＤＭ（Orthogonal Frequency Division Multiplexing）復調器１３５０ｂに出力する。
【００４３】
ＯＦＤＭ復調器１３５０ｂは、制御部１３６１からの制御信号により、チューナ１３５０ａで選局された放送信号を復調し、所望の番組を含んだトランスポートストリームを得て、ＴＳ復号器１３５０ｃに出力する。
【００４４】
ＴＳ復号器１３５０ｃは、制御部１３６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部１３４７内のＳＴＤバッファ１３４７ｆへ出力する。
【００４５】
また、ＴＳ復号器１３５０ｃは、デジタル放送により送られているセクション情報を信号処理部１３４７内のセクション処理部１３４７ｈへ出力する。
ここで、上記信号処理部１３４７は、テレビ視聴時には、ＴＳ復号器１３４５ｃおよびＴＳ復号器１３５０ｃからそれぞれ供給されたデジタルの映像信号及び音声信号に対して、選択的に所定のデジタル信号処理を施し、グラフィック処理部１３５４及び音声処理部１３５５に出力している。また、信号処理部１３４７は、コンテンツ再生時には、制御部１３６１から入力されたコンテンツの再生信号を選択し、所定のデジタル信号処理を施し、グラフィック処理部１３５４及び音声処理部１３５５に出力している。
【００４６】
制御部１３６１には、信号処理部１３４７から、番組を取得するための各種データや電子番組ガイド（ＥＰＧ）情報，番組属性情報（番組ジャンル等），字幕情報等（サービス情報、ＳＩやＰＳＩ）が入力されている。
【００４７】
制御部１３６１は、これら入力された情報からＥＰＧ，字幕を表示するため画像生成処理を行い、この生成した画像情報をグラフィック処理部１３５４へ出力する。
セクション処理部１３４７ｈは、ＴＳ復号器１３４５ｃ（１３５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部１３６１へ出力する。
【００４８】
グラフィック処理部１３５４は、（１）信号処理部１３４７内のＡＶデコーダ１３４７ｇから供給されるデジタルの映像信号と、（２）ＯＳＤ（On Screen Display）信号生成部１３５７で生成されるＯＳＤ信号と、（３）データ放送による画像データと、（４）制御部１３６１により生成されたＥＰＧ，字幕信号とを合成して映像処理部１３５８へ出力する機能を有する。
【００４９】
また、字幕放送による字幕を表示するとき、グラフィック処理部１３５４は、制御部１３６１からの制御による字幕情報に基づき、映像信号上に字幕情報を重畳する処理を行う。
【００５０】
グラフィック処理部１３５４から出力されたデジタルの映像信号は、映像処理部１３５８に供給される。この映像処理部１３５８は、入力されたデジタルの映像信号を、前記映像表示器１３１４で表示可能なフォーマットのアナログ映像信号に変換した後、映像表示器１３１４に出力して映像表示させるとともに、出力端子１３５９を介して外部に導出させる。
【００５１】
また、上記音声処理部１３５５は、入力されたデジタルの音声信号を、前記スピーカ１３１５で再生可能なフォーマットのアナログ音声信号に変換した後、スピーカ１３１５に出力して音声再生させるとともに、出力端子１３６０を介して外部に導出させる。
【００５２】
ここで、このデジタルテレビジョン放送受信装置１３１は、上記した各種の受信動作を含むその全ての動作を制御部１３６１によって統括的に制御されている。この制御部１３６１は、ＣＰＵ（Central Processing Unit）等を内蔵しており、前記操作部１３１６からの操作情報を受け、または、リモートコントローラ１３１７から送出された操作情報を、前記受光部１３１８を介して受信し、その操作内容が反映されるように各部をそれぞれ制御している。
【００５３】
この場合、制御部１３６１は、主として、そのＣＰＵが実行する制御プログラムを格納したＲＯＭ（Read Only Memory）１３６１ａと、該ＣＰＵに作業エリアを提供するＲＡＭ（Random Access Memory）１３６１ｂと、各種の設定情報及び制御情報等が格納される不揮発性メモリ１３６１ｃとを利用している。
【００５４】
また、上記制御部１３６１は、通信Ｉ／Ｆ１３６９を介して第１のＬＡＮ端子１３２１に接続されている。これにより、制御部１３６１は、第１のＬＡＮ端子１３２１に接続されたＬＡＮ対応のＨＤＤ１３２５と、通信Ｉ／Ｆ２６９を介して情報伝送することができる。この場合、制御部１３６１は、ＤＨＣＰ（Dynamic Host Configuration Protocol）サーバ機能を有し、第１のＬＡＮ端子１２１に接続されたＬＡＮ対応のＨＤＤ１３２５にＩＰ（Internet Protocol）アドレスを割り当てて制御している。
【００５５】
さらに、上記制御部１３６１は、通信Ｉ／Ｆ１３７０を介して第２のＬＡＮ端子１３２２に接続されている。これにより、制御部１３６１は、第２のＬＡＮ端子１３２２に接続されたハブ１３２６経由のＬＡＮ対応ＨＤＤ１３２７と、通信Ｉ／Ｆ１３７０を介して情報伝送することができる。
【００５６】
また、上記制御部１３６１は、ＵＳＢ  Ｉ／Ｆ１３７１を介して前記ＵＳＢ端子１３２３に接続されている。これにより、制御部１３６１は、ＵＳＢ端子１３２３に接続されたＨＤＤ１３２８と、ＵＳＢ  Ｉ／Ｆ１３７１を介して情報伝送することができる。
【００５７】
さらに、上記制御部１３６１は、ｉ．ＬＩＮＫ  Ｉ／Ｆ１３７２を介してｉ．ＬＩＮＫ端子１３２４に接続されている。これにより、制御部１３６１は、ｉ．ＬＩＮＫ端子１３２４に接続されたＡＶ−ＨＤＤ１３２９と、ｉ．ＬＩＮＫ  Ｉ／Ｆ１３７２を介して情報伝送することができる。
【００５８】
図１４はこのデジタルテレビジョン放送受信装置１３１で実行されるコンテンツ再生システムの例である。図２と比較した場合、コンテンツファイル１４０３がデジタルテレビジョン放送受信装置１３１に接続されるＨＤＤに記録されており、チャンネル配信制御２０９がチャンネル再生制御１４０９、コンテンツ配信２１０がコンテンツ再生１４１０、ＨＴＭＬブラウザ２１２がレジデント画面アプリケーション１４１２に変わっているが、コンテンツや関連情報の授受がサーバと利用端末間でオンライン等の通信接続経由でなされる（図２）内のローカルバスや外部端子接続経由でなされる（図１４）の違いであり、システムの処理は原理的には変わらない。
【００５９】
なお、本発明では各種の端子に接続したＨＤＤ等の記録装置に記録されたコンテンツを再生する場合について説明したが、このデジタルテレビジョン放送受信装置がＨＤＤ等の記録装置を内蔵していてもよい。また、デジタルテレビジョン放送受信装置の形態に限定されるものでもなく、たとえばＨＤＤ内蔵ＤＶＤレコーダのようなモニタのない機器であってもよい。
【００６０】
以上説明したとおり、この発明によれば、利用者がコンテンツに対し自由に付加したタグを利用して放送等と同様のチャンネルを自動的に生成し、利用者に対してこのチャンネル単位で視聴選択する手段を提供するので、ＴＶ等のリモコンを用いた操作でもコンテンツの効率的な検索や視聴を可能にすることができる。
【００６１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００６２】
【図１】コンテンツ配信システムを含む全体構成の一例を示す図。
【図２】本発明を適用したコンテンツ配信システムの一例を示す図。
【図３】コンテンツ／関連情報取得処理を示す図。
【図４】タグリストの一例を示す図。
【図５】コンテンツ関連情報入力フォーム画面の一例を示す図。
【図６】コンテンツ管理リストの例を示す図。
【図７】チャンネル生成処理を示す図。
【図８】チャンネルリストの例を示す図。
【図９】チャンネル配信／再生の説明図を示す図。
【図１０】チャンネル選択画面の一例を示す図。
【図１１】チャンネル論理演算処理を示す図。
【図１２】チャンネル配信制御処理の一例を示す図。
【図１３】デジタルテレビジョン放送受信装置１３１の主要な信号処理系を示す図。
【図１４】本発明を適用したコンテンツ再生システムの一例を示す図。
【符号の説明】
【００６３】
２０１…タグリスト、２０２…コンテンツ管理リスト、２０３…コンテンツファイル、２０４…コンテンツ／関連情報取得処理部、２０５…コンテンツ／関連情報取得Ｉ／Ｆ、２０６…チャンネル生成部、２０７…チャンネルリスト、２０８…チャンネル選択Ｉ／Ｆ、２０９…論理演算部、２１０…チャンネル配信制御部、２１１…コンテンツ配信部、２１２…ＨＴＭＬブラウザ。
【図１】
2010041500.tif 000003
【図２】
2010041500.tif 000004
【図３】
2010041500.tif 000005
【図４】
2010041500.tif 000006
【図５】
2010041500.tif 000007
【図６】
2010041500.tif 000008
【図７】
2010041500.tif 000009
【図８】
2010041500.tif 000010
【図９】
2010041500.tif 000011
【図１０】
2010041500.tif 000012
【図１１】
2010041500.tif 000013
【図１２】
2010041500.tif 000014
【図１３】
2010041500.tif 000015
【図１４】
2010041500.tif 000016